(57)【特許請求の範囲】
【請求項１】
本体ケース（１）の上部のヘッドケース（９）に、肌面に電流を供給する肌電極（６５）が設けられており、
肌電極（６５）は、軸頂部に肌接触面（２５）を有するヘッド軸（２１）と、ヘッド軸（２１）の下部周面に形成されるフランジ状の張出壁（２２）とを含み、
ヘッド軸（２１）は、各頂部が丸められた三角形の断面形状となっており、かつ、肌接触面（２５）が突湾曲状となっており、
ヘッドケース（９）は、断面形状を三角形に形成しているヘッド筒壁（４２）を含んでおり、
肌電極（６５）の張出壁（２２）がヘッドケース（９）に設けた組付座（４４）で受止め支持されており、
ヘッド筒壁（４２）の内面が、各頂部が丸められた三角形で形成されており、
張出壁（２２）の周囲が、各頂部が丸められた三角形で形成されており、
張出壁（２２）の周囲がヘッド筒壁（４２）の内面で受け止められていることを特徴とする美容器具。
【請求項２】
肌接触面（２５）の表面を覆う綿マット（Ｃ）を保持することが可能なマット固定具を備えており、
上記マット固定具には、ヘッド軸（２１）を通すための軸通口（８０）が形成してあり、
軸通口（８０）が三角形状となっていることを特徴とする請求項１に記載の美容器具。
【請求項３】
ヘッド軸（２１）の三角形の３つの辺のうち、少なくとも一辺が直線状となっていることを特徴とする請求項１または２に記載の美容器具。
【発明の詳細な説明】
【技術分野】
【０００１】
本発明は、肌面に電流を供給できる美容器具に関する。
【背景技術】
【０００２】
本出願人は、肌に冷熱刺激を付与する美容器具を先に提案している（特許文献１）。そこでは、本体ケースの上部に肌面を冷却するためのヘッド部を備えている。ヘッド部には、ペルチェ素子と、同素子の周囲を保持する熱絶縁体と、ペルチェ素子を間にして冷熱面側に密着配置される冷熱ブロックと、温熱面側に密着配置される温熱ブロックと、これらの部材を支持する冷却部ホルダーと、温熱ブロックに密着配置されるヒートシンクなどが設けてある。これらの構成部材のうち、冷熱ブロック、ペルチェ素子、熱絶縁体、温熱ブロックと、冷却部ホルダーは、冷熱ブロックにねじ込んだビスで一体化されてユニット部品化されており、冷却部ホルダーを本体ケースの前ケースにビスで締結することにより、先のユニットが本体ケースと一体化してある。また、ヒートシンクは、温熱ブロックにねじ込まれたビスで同ブロックに固定してある。冷却部ホルダーの外面は、第１電極を兼ねる接触板で覆われており、本体ケースの左右両側には第２電極が設けてある。
【０００３】
上記の美容器具は、第１、第２、第３、第４の各モードに切換えて使用することができる。第１モードにおいては、化粧水が含浸された綿マットで接触板の外面を覆い、第１・第２の両電極に電圧を印加した状態で、綿マットを顔肌にあてがうことにより電気刺激を与えて、イオン導出作用によって微細な汚れを落とすことができる。このとき、第１電極はプラス極性、第２電極はマイナス極性とする。第２モードにおいては、第１電極と第２電極に極性の異なる電圧を交互に印加し、本体ケース内のバイブレーターを駆動した状態で、接触板を肌面にあてがうことにより、肌をほぐすことができる。第３モードにおいては、化粧水が含浸された綿マットで接触板の外面を覆い、第１電極をマイナス極性、第２電極をプラス極性とした電圧を印加した状態で、綿マットを顔肌にあてがうことにより電気刺激を与えて、イオン導入作用によって保湿成分を肌に浸透させることができる。第４モードにおいては、ペルチェ素子を作動させて接触板を冷却し、冷却された接触板を肌面にあてがって冷却することができる。
【先行技術文献】
【特許文献】
【０００４】
【特許文献１】特開２０１２−６１２５１号公報（段落番号００３７、図６）
【発明の概要】
【発明が解決しようとする課題】
【０００５】
本発明の目的は、肌面に電流を供給することができる美容器具を提供することにある。
【０００６】
本発明に係る美容器具は、本体ケース１の上部のヘッドケース９に、肌面に電流を供給する肌電極６５が設けられており、肌電極６５は、軸頂部に肌接触面２５を有するヘッド軸２１を含む。ヘッド軸２１は、各頂部が丸められた三角形の断面形状となっており、かつ、肌接触面２５が突湾曲状となっている。ヘッドケース９は、断面形状を三角形に形成しているヘッド筒壁４２を含んでいる。
【０００７】
また、本発明に係る美容器具は、本体ケース１の上部のヘッドケース９に、肌面に電流を供給する肌電極６５が設けられており、肌電極６５は、軸頂部に肌接触面２５を有するヘッド軸２１と、ヘッド軸２１の下部周面に形成されるフランジ状の張出壁２２とを含む。ヘッド軸２１は、各頂部が丸められた三角形の断面形状となっており、かつ、肌接触面２５が突湾曲状となっている。肌電極６５の組付時に、張出壁２２をヘッドケース９に設けた組付座４４で受止め支持している。
【０００８】
また、本発明に係る美容器具は、本体ケース１の上部のヘッドケース９に、肌面に電流を供給する肌電極６５が設けられている。肌電極６５は、軸頂部に肌接触面２５を有するヘッド軸２１と、ヘッド軸２１の下部周面に形成されるフランジ状の張出壁２２とを含む。  ヘッド軸２１は、各頂部が丸められた三角形の断面形状となっており、かつ、肌接触面２５が突湾曲状となっている。ヘッドケース９は、断面形状を三角形に形成しているヘッド筒壁４２を含んでいる。肌電極６５の組付時に、張出壁２２をヘッドケース９に設けた組付座４４で受止め支持している。
【０００９】
また、本発明に係る美容器具は、肌接触面２５の表面を覆う綿マットＣを保持することが可能なマット固定具を備えており、上記マット固定具には、ヘッド軸２１を通すための軸通口８０が形成してあり、軸通口８０が三角形状となっている。
【００１０】
また、本発明に係る美容器具は、ヘッド軸２１の三角形の３つの辺のうち、少なくとも一辺が直線状となっている。
【００１１】
図１に示すように、美容器具の本体部Ａは、本体ケース１と、本体ケース１に設けられて冷熱または温熱を肌面に付与する発熱ユニット２を備えている。発熱ユニット２は、本体ケース１の外面に露出されて温熱または冷熱を肌面に作用させる熱刺激ヘッド１５と、本体ケース１の内部に収容されるヒートシンク１６と、熱刺激ヘッド１５とヒートシンク１６との間に配置される熱電変換素子１７を含む。熱刺激ヘッド１５および熱電変換素子１７が、本体ケース１と、同ケースにシンク締結ねじ６９で締結したヒートシンク１６で固定保持してあることを特徴とする。
【００１２】
熱刺激ヘッド１５の周囲に張出壁２２を設ける。本体ケース１に張出壁２２を受止める組付座４４を形成し、組付座４４に熱刺激ヘッド１５を露出させるヘッド開口４５を形成する。熱刺激ヘッド１５とヒートシンク１６の間に、熱電変換素子１７を保護するスペーサー１８を配置する。ヒートシンク１６をシンク締結ねじ６９で本体ケース１に締結した状態において、張出壁２２を組付座４４とスペーサー１８で挟持固定する。
【００１３】
スペーサー１８は、図５に示すように、筒状に形成されて熱電変換素子１７の周囲を囲んでいる。スペーサー１８の筒壁に、熱放出用の排熱開口３９を形成する。
【００１４】
ヒートシンク１６の締結座２９は、本体ケース１に設けたねじボス４６で受止められて、ねじボス４６にねじ込んだシンク締結ねじ６９で締結されている。ヒートシンク１６の締結座２９に、ねじボス４６と係合する係合凹部３４を形成する（図９参照）。
【００１５】
本体ケース１は、発熱ユニット２を固定保持するヘッドケース９と、把持ケース８を備えている。把持ケース８はヘッドケース９を前後に挟持固定する前ケース１０および後ケース１１を備えている。前ケース１０と後ケース１１のいずれか一方の内面の左右にケースねじボス５５を形成する。前ケース１０と後ケース１１は、ケースねじボス５５にねじ込んだケース締結ねじ７０で固定する。左右のケースねじボス５５の間に、ヒートシンク１６の放熱フィン２８が配置されている。図１に示すように、ケースねじボス５５に、ヒートシンク１６の放熱フィン２８の左右側面を受止める傾動規制体６０が装着してある。
【００１６】
発熱ユニット２は、熱電変換素子１７に供給される駆動電流の極性を正負に逆転して、熱電変換素子１７から熱刺激ヘッド１５へ伝導される熱を冷熱と温熱に切換え可能に構成されている。傾動規制体６０は、放熱フィン２８の熱膨張および熱収縮を吸収する弾性材で形成してある。
【００１７】
肌面に擦り刺激を付与する刺激付与具Ｂを備えている。熱刺激ヘッド１５または同ヘッド１５を固定保持するヘッドケース９に装着部５０を設ける。図１４に示すように、刺激付与具Ｂは、装着部５０に着脱可能に外嵌装着する。
【００１８】
刺激付与具Ｂは、装着部５０に装着される連結部７５と、肌面に擦り刺激を付与する擦り体７７を備えている。熱刺激ヘッド１５と擦り体７７を肌面に同時に作用させて、肌面に熱刺激と擦り刺激を同時に付与する。
【００１９】
刺激付与具Ｂは、図１４に示すように連結部７５と、連結部７５と一体に設けた擦り体ホルダー７６と、擦り体ホルダー７６で回転自在に支持した少なくとも１個の球状の擦り体７７を備えている。擦り体７７が肌面に沿って回転しながら擦り刺激を付与する。
【００２０】
擦り体７７は、擦り体７７から連結部７５に至る間に設けたフロート構造で、本体ケース１に対してフロート可能に支持する。
【００２１】
図１８に示すように、擦り体ホルダー７６は、擦り体ホルダー７６と連結部７５との間に設けたフロート構造で支持する。擦り体ホルダー７６は、擦り体７７をフロートさせる。
【００２２】
フロート構造は、擦り体ホルダー７６と連結部７５との間に設けた可撓体９０を含んで構成する（図１８および図１９参照）。擦り体ホルダー７６は、擦り体７７を上下フロートさせる。
【００２３】
刺激付与具Ｂは、複数の擦り体７７および擦り体ホルダー７６を備えている。一つの擦り体７７が肌反力を受けてフロート移動するとき、残る擦り体７７が先の擦り体７７とは逆向きにフロート移動する（図２１参照）。
【００２４】
図２３に示すようにフロート構造は、連結部７５の周囲を囲むフロート枠９６と、連結部７５とフロート枠９６との間に配置されて、フロート枠９６を中立位置へ復帰付勢する複数のフロートばね９０を備えている。中立位置におけるフロート枠９６は、連結部７５に設けた枠支持壁１０１で支持する。フロート枠９６に複数個の擦り体７７および擦り体ホルダー７６を設ける。
【００２５】
フロート構造は、連結部７５の周囲を囲むフロート枠９６と、連結部７５に装着されてフロート枠９６を傾動可能に支持するフロート軸９９を備えている。フロート枠９６に複数個の擦り体７７および擦り体ホルダー７６を設ける（図２１参照）。
【００２６】
図２４に示すように、ヒートシンク１６を含む発熱ユニット２の全体をヘッドケース９に収容する。ヘッドケース９は、把持ケース８でフロート可能に支持されて、ヘッドフロートばね１０６で押上げ付勢する。刺激付与具Ｂは、ヘッドケース９に装着される連結部７５と、擦り体７７を支持する擦り体ホルダー７６を備えている。擦り体７７は擦り体ホルダー７６でフロート可能に支持されて、フロートばね９０で押上げ付勢する。擦り体７７のフロート動作とともに、発熱ユニット２およびヘッドケース９がフロート移動して、肌面に擦り刺激を付与する。
【００２７】
熱刺激ヘッド１５を擦り体７７の温度より高い温度に加熱した状態、あるいは熱刺激ヘッド１５を擦り体７７の温度より低い温度に冷却した状態で、熱刺激ヘッド１５と擦り体７７を肌面に同時に作用させて、肌面に熱刺激と擦り刺激を同時に付与する。
【００２８】
擦り体７７は擦り体ホルダー７６内に設けたフロートばね９０で弾性支持する。
【００２９】
熱刺激ヘッド１５はヘッドケース９に固定する。擦り体７７は擦り体ホルダー７６で回転自在に支持した球体からなる。肌面に熱刺激と擦り刺激を同時に付与する状態において、熱刺激ヘッド１５で強い擦り刺激を付与し、擦り体７７で弱い擦り刺激を付与する。
【００３０】
図１４に示すように、擦り体７７の頂部を通る第１仮想平面Ｈ１は、熱刺激ヘッド１５の頂部を通るヘッド仮想平面Ｈより上側に位置させる。
【００３１】
擦り体７７は擦り体ホルダー７６で上下フロート可能に支持されて、フロートばね９０で押上げ付勢されている。擦り体７７はフロートばね９０で押上げられた待機位置と、フロートばね９０の付勢力に抗して押下げられたフロート位置との間で上下フロートできる。図１４に示すように、フロート位置において、擦り体７７の頂部を通る第２仮想平面Ｈ２が、熱刺激ヘッド１５の頂部を通るヘッド仮想平面Ｈと同じかこれより下側に位置させる。
【００３２】
図１３に示すように、熱刺激ヘッド１５の肌接触面２５の面積は、平面視における１個の擦り体７７の面積より大きく設定する。
【００３３】
球体からなる複数の擦り体７７は擦り体ホルダー７６で回転自在に支持する。
【００３４】
平面視における１個の擦り体７７の面積は熱刺激ヘッド１５の肌接触面２５の面積より小さい。しかし、平面視における複数個の擦り体７７の合計面積は、熱刺激ヘッド１５の肌接触面２５の面積より大きく設定してある。
【００３５】
上突湾曲状に形成した熱刺激ヘッド１５の肌接触面２５の曲率と、球体からなる擦り体７７の曲率を比較するとき、前者曲率を後者曲率より小さく設定する。
【００３６】
擦り体７７は擦り体ホルダー７６で回転自在に支持する。擦り体ホルダー７６の底に設けた複数の受腕８７で擦り体７７を受止めて、擦り体７７の下周面を擦り体ホルダー７６の下面側に露出させる。
【００３７】
刺激付与具Ｂの連結部７５を装着部５０に装着した状態において、擦り体ホルダー７６とヘッドケース９の肩部４８との間に通水空間Ｓを確保する。
【００３８】
刺激付与具Ｂの連結部７５が複数の連結脚７９で構成されて、周方向へ隣接する連結脚７９の間に通水開口を設ける。
【００３９】
肌面に電流を供給する肌電極６５を備えている。肌電極６５は熱刺激ヘッド１５が兼ねている。装着部５０に装着した刺激付与具Ｂの擦り体ホルダー７６で、熱刺激ヘッド１５の外面を覆う綿マットＣを押圧固定する。
【発明の効果】
【００４０】
本発明に係る美容器具においては、肌電極６５が、突湾曲状の肌接触面２５を有する断面三角形のヘッド軸２１を含み、このヘッド軸２１を有する肌電極６５により肌面に電流を供給することができる。
【００４１】
美容器具においては、本体ケース１とヒートシンク１６で、熱刺激ヘッド１５、熱電変換素子１７を挟持固定するので、ヒートシンク１６を本体ケース１に締結するだけで、熱刺激ヘッド１５と熱電変換素子１７を同時に、しかも確りと固定することができる。従って、発熱構造部の構成部品の全てをより簡単な構造で確りと締結固定することができ、その分だけ組付けの手間を省くことができる。また、熱刺激を付与するのに必要不可欠な熱刺激ヘッド１５、ヒートシンク１６、熱電変換素子１７で発熱構造部を構成するので、従来の美容器具に比べて無駄な部品を省いて、発熱構造部の構造を簡素化しコンパクト化でき、これに伴い発熱構造部を備えた美容器具の小形化とコンパクト化を実現できる。さらに、熱電変換素子１７からヒートシンク１６に伝導した熱を、締結ねじ６９を介して本体ケース１に伝導し本体ケース１の表面において放熱できるので、ヒートシンク１６による放熱効果を向上できる。例えば、熱電変換素子１７からヒートシンク１６に温熱が伝導される場合には、温熱の一部を締結ねじ６９を介して本体ケース１に伝導できるので、ヒートシンク１６の温度上昇を抑制して放熱効果を向上できる。
【００４２】
熱刺激ヘッド１５の周囲に張出壁２２を設け、さらに、熱刺激ヘッド１５とヒートシンク１６の間にスペーサー１８を配置すると、ヒートシンク１６をシンク締結ねじ６９で締結した状態において、張出壁２２を組付座４４とスペーサー１８で挟持固定できる。従って、熱刺激ヘッド１５を熱電変換素子１７やスペーサー１８と共にヘッドケース９に組付ける際に、熱刺激ヘッド１５がぐら付くのを確実に防止して、同ヘッド１５を確りと固定することができる。スペーサー１８は、美容器具が落下衝撃を受ける場合に、熱電変換素子１７を保護し、さらに熱電変換素子１７がずれ動くのを規制するために設けてある。
【００４３】
熱電変換素子１７の周囲を囲むスペーサー１８の筒壁に、熱放出用の排熱開口３９を形成するのは以下の理由による。例えばペルチェ素子１７で熱刺激ヘッド１５を加熱している状態から、ペルチェ素子１７の作動を停止すると、熱容量が大きな熱刺激ヘッド１５から伝導するフィードバック熱によって、ペルチェ素子１７が過熱することがある。しかし、スペーサー１８の筒壁に排熱開口３９が形成してあると、フィードバック熱を排熱開口３９から速やかに放出して、ペルチェ素子１７が過熱するのを防止できる。
【００４４】
ヒートシンク１６の締結座２９に係合凹部３４を設け、係合凹部３４が本体ケース１のねじボス４６と係合する状態で締結座２９をシンク締結ねじ６９で締結すると、ヒートシンク１６を前後左右に位置決めした状態で固定できる。従って、ヒートシンク１６のねじボス４６に対する締結を的確に、しかも強固に行える。
【００４５】
左右のケースねじボス５５の間にヒートシンク１６の放熱フィン２８を配置し、ケースねじボス５５に装着した傾動規制体６０で放熱フィン２８の左右側面を受止めると、ヒートシンク１６が把持ケース８に対して傾いた状態で組付けられるのを防止できる。従って、ヒートシンク１６と把持ケース８の組付位置および組付姿勢を常に適正なものとして、美容器具の品質にばらつきが生じるのを解消できる。
【００４６】
傾動規制体６０を弾性材で形成すると、放熱フィン２８が熱膨張し、あるは熱収縮するとき、放熱フィン２８の変形を傾動規制体６０が圧縮変形しあるいは膨張変形して吸収できる。従って、熱電変換素子１７に供給される駆動電流の極性が異なることに起因して放熱フィン２８が熱膨張し、あるいは熱収縮する場合でも、放熱フィン２８の熱変形を傾動規制体６０の変形で吸収して、放熱フィン２８に変形応力が作用するのを防止しながら、放熱フィン２８を常に安定した状態で支持することができる。
【００４７】
熱刺激ヘッド１５またはヘッドケース９に設けた装着部５０に刺激付与具Ｂを着脱可能に外嵌装着すると、刺激付与具Ｂを本体ケース１に対して安定した状態で連結できる。これは、他の部位に比べて剛性のある熱刺激ヘッド１５、あるいは同ヘッド１５を支持するヘッドケース９に装着部５０を設けることにより、装着部５０の構造強度を強化し、同部５０に装着した刺激付与具Ｂを強固に支持できるからである。
【００４８】
刺激付与具Ｂに擦り体７７が設けてあると、熱刺激ヘッド１５と擦り体７７を肌面に同時に作用させた状態で擦り移動することにより、肌面に対して熱刺激と擦り刺激を同時に付与できる。例えば、熱刺激ヘッド１５で肌面を温めながら擦り体７７で擦り刺激を付与する状態では、温熱刺激よって血行を促進しながら、肌面に物理的な刺激を付与できる。また、熱刺激ヘッド１５で肌面に冷熱を与えながら擦り体７７で擦り刺激を付与する状態では、冷熱刺激によって顔肌を引締めながら、肌面に物理的な刺激を付与できる。
【００４９】
連結部７５、および擦り体ホルダー７６と、同ホルダー７６で回転自在に支持した球状の擦り体７７で構成した刺激付与具Ｂによれば、擦り体７７が肌面に沿って回転することで擦り刺激を付与できる。従って、擦り体７７の肌面に対するタッチ（接触感）をソフトで優しいものとして、より繊細な擦り刺激を肌面に付与でき、外部刺激に敏感で繊細な肌面であっても優しくマッサージすることができる。
【００５０】
擦り体７７をフロート構造で本体ケース１に対してフロート可能に支持すると、擦り体７７がフロートすることで、擦り体７７による擦り刺激が肌面に対して過剰に作用するのを防止して、擦り体７７の肌面に対するタッチ（接触感）をさらにソフトで優しいものとすることができる。また、立体的な肌面の変化に追随して擦り体７７がフロートするので、擦り体７７による擦り刺激を肌面に対して効果的に付与できる。
【００５１】
擦り体ホルダー７６と連結部７５との間に設けたフロート構造で擦り体ホルダー７６を支持する美容器具においては、擦り体ホルダー７６がフロート移動して擦り体７７をフロートさせる。そのため、擦り体７７のみがフロートする場合に比べて、フロート構造を設計する際の構造の自由度や、フロート時の変位量、あるいは変位に伴う弾性変形力などの設計の自由度を拡大して、フロート構造の最適化を促進できる。
【００５２】
擦り体ホルダー７６と連結部７５との間に設けた可撓体９０を含むフロート構造によれば、フロート構造を簡素化して刺激付与具Ｂの製造コストを低コスト化できる。これは、擦り体ホルダー７６の支持構造の少なくとも一部を可撓体９０が兼ねるので、可撓体９０を含む支持構造が複雑化するのを避けてフロート構造を簡素化し、その分だけ刺激付与具Ｂの構成部品を最小限化できるからである。
【００５３】
複数の擦り体７７および擦り体ホルダー７６を備える刺激付与具Ｂにおいて、一つの擦り体７７がフロート移動するとき、残る擦り体７７を逆向きにフロート移動させると、肌面に作用する擦り刺激を多様化できる。詳しくは、一つの擦り体７７のみで肌面に擦り刺激を付与する状態と、複数の擦り体７７で肌面に擦り刺激を付与する状態を選択することができるので、肌面の部位の違いや肌状態の違いに応じて、あるいはユーザーの好みに応じて異なる擦り刺激を付与できる。
【００５４】
連結部７５の周囲を囲むフロート枠９６と、フロート枠９６を中立位置へ復帰付勢する複数のフロートばね９０を備えたフロート構造は、フロート枠９６を連結部７５の周りの全方位方向へフロート移動させることができる。このようなフロート構造を備えた刺激付与具Ｂにおいて、フロート枠９６に複数個の擦り体７７および擦り体ホルダー７６が設けてあると、フロート枠９６が傾動するときの支点位置が複雑に変化するので、擦り体７７の傾動軌跡を複雑に変化させることができる。従って、擦り体７７の肌面に対するあてがい方の違いでフロート枠９６の移動態様を様々に変化させて、擦り刺激の強弱の度合いや、擦り刺激が付与される部位の変化を多様化し、多様な擦り刺激を付与できる。
【００５５】
フロート枠９６をフロート軸９９で傾動可能に支持するフロート構造において、フロート枠９６に複数個の擦り体７７および擦り体ホルダー７６を設けると、一つの擦り体７７がフロート傾動するとき、残る擦り体７７を逆向きにフロート傾動できる。換言すると、フロート枠９６をシーソー状にフロート傾動させて、肌面に作用する擦り刺激を多様化できる。従って、一つの擦り体７７のみで肌面に擦り刺激を付与する状態と、複数の擦り体７７で肌面に擦り刺激を付与する状態を選択することにより、肌面の部位の違いや肌状態の違いに応じて、あるいはユーザーの好みに応じて異なる擦り刺激を付与できる。
【００５６】
ヒートシンク１６を含む発熱ユニット２の全体をヘッドケース９に収容した美容器具においては、ヘッドケース９を把持ケース８でフロート可能に支持し、ヘッドフロートばね１０６で押上げ付勢するようにした。また、ヘッドケース９に装着される連結部７５と、擦り体７７を支持する擦り体ホルダー７６などで刺激付与具Ｂを構成し、擦り体７７を擦り体ホルダー７６でフロート可能に支持したうえで、フロートばね９０で押上げ付勢するようにした。こうした美容器具によれば、擦り体７７のフロート動作とともに、発熱ユニット２およびヘッドケース９を上下フロートできるので、発熱ユニット２による擦り刺激を緩和することができる。
【００５７】
熱刺激ヘッド１５を擦り体７７の温度より高い温度に加熱した状態で、肌面に温熱刺激と擦り刺激を同時に付与する場合には、肌面の血行を促進しながら物理的な刺激を付与できる。また、熱刺激ヘッド１５を擦り体７７の温度より低い温度に冷却した状態で、肌面に冷熱刺激と擦り刺激を同時に付与する場合には、肌面を引締めながら物理的な刺激を付与できる。
【００５８】
擦り体７７を擦り体ホルダー７６内に設けたフロートばね９０で弾性支持すると、フロート構造のフロート作用に加えて、フロートばね９０の弾性変形によるフロート作用を発揮できる。従って、擦り体７７による擦り刺激が肌面に対して過剰に作用するのを防止して、擦り体７７の肌面に対するタッチ（接触感）をさらにソフトで優しいものとすることができる。
【００５９】
ヘッドケース９に固定した熱刺激ヘッド１５で肌面に温熱または冷熱を作用させ、球体からなる擦り体７７を擦り体ホルダー７６で回転自在に支持する美容器具によれば、肌面に熱刺激と擦り刺激を同時に付与する状態において、熱刺激ヘッド１５で強い擦り刺激を付与し、擦り体７７で弱い擦り刺激を付与できる。擦り体７７と肌面の間で生じる摩擦抵抗が、熱刺激ヘッド１５と肌面の間で生じる摩擦抵抗より充分に小さいからである。従って、肌面の部位の違いや肌状態の違いに応じて、熱刺激ヘッド１５と擦り体７７を使い分けることにより、ユーザーの好みに応じた擦り刺激を肌面に付与できる。
【００６０】
擦り体７７の頂部を通る第１仮想平面Ｈ１が、熱刺激ヘッド１５の頂部を通るヘッド仮想平面Ｈより上側に位置させてあると、第１仮想平面Ｈ１とヘッド仮想平面Ｈが面一になった状態でのみ、熱刺激ヘッド１５による熱刺激と擦り体７７による擦り刺激を肌面に同時に作用させることができる。このとき、擦り体７７にはフロートばね９０のばね力が作用しているので、擦り体７７を肌面に確実に密着させて、擦り体７７が転動するときの擦り刺激を肌面に付与できる。
【００６１】
フロート位置において、擦り体７７の頂部を通る第２仮想平面Ｈ２が、熱刺激ヘッド１５の頂部を通るヘッド仮想平面Ｈと同じかこれより下側に位置させてあると、擦り体７７に作用する肌反力を熱刺激ヘッド１５の頂部に作用する肌反力と同じか、僅かに小さくすることができる。そのため、擦り体７７が肌面に過剰に押付けられるのを防止して、擦り体７７の肌面に対するタッチをソフトで優しいものとして、より繊細な擦り刺激を肌面に付与できる。
【００６２】
熱刺激ヘッド１５の肌接触面２５の面積を、１個の擦り体７７の面積より大きく設定すると、面積の大きな肌接触面２５で肌面に熱刺激を与えながら、面積の小さな擦り体７７で肌面に擦り刺激を与えることができる。こうした美容器具によれば、温熱刺激または冷熱刺激を肌面に確実に付与しながら、擦り刺激を付随的に付与できるので、肌面に主として熱刺激を付与できる。
【００６３】
球体からなる複数の擦り体７７を擦り体ホルダー７６で回転自在に支持すると、一つの擦り体７７のみで肌面に擦り刺激を付与する状態と、複数の擦り体７７で肌面に擦り刺激を付与する状態を選択できるので、肌面の部位の違いや肌状態の違いに応じて、あるいはユーザーの好みに応じて異なる擦り刺激を付与できる。
【００６４】
平面視における１個の擦り体７７の面積を熱刺激ヘッド１５の肌接触面２５の面積より小さくした。さらに、平面視における複数個の擦り体７７の合計面積を、熱刺激ヘッド１５の肌接触面２５の面積より大きく設定した。こうした美容器具によれば、熱刺激と擦り刺激を肌面に同時に作用させる際に、熱刺激ヘッド１５による熱刺激の刺激度合よりも、擦り体７７による擦り刺激の刺激度合を大きくして、肌面に主として物理的な刺激を付与できる。
【００６５】
熱刺激ヘッド１５の肌接触面２５の曲率が、擦り体７７の曲率より小さく設定してあると、肌接触面２５と肌面の接触機会を、擦り体７７と肌面の接触機会より多くして、肌接触面２５による熱刺激を肌面に対して的確に付与できる。
【００６６】
擦り体７７を擦り体ホルダー７６の底に設けた複数の受腕８７で受止めて、擦り体７７の下周面を擦り体ホルダー７６の下面側に露出させると、刺激付与具Ｂを洗浄するときの洗浄液の排出を円滑化できる。また、洗浄時には、擦り体７７の上周面、あるいは下面の露出面から洗浄水を流し掛けながら洗浄できるので、擦り体７７の表面全体を余すところなく確実に洗浄できる。
【００６７】
連結部７５を装着部５０に装着した状態において、擦り体ホルダー７６とヘッドケース９の肩部４８との間に通水空間Ｓが確保してあると、擦り体７７および擦り体ホルダー７６から流れ落ちた洗浄水を、通水空間Ｓから確実に排水できる。また、洗浄後の擦り体７７および擦り体ホルダー７６の風通しを良くして乾燥を促進できる。
【００６８】
連結部７５を複数の連結脚７９で構成し、周方向へ隣接する連結脚７９の間に通水開口を設けた刺激付与具Ｂによれば、通水開口の分だけ刺激付与具Ｂの重量を軽減して軽量化できる。また、本体部Ａが水洗い可能に構成してある場合には、連結脚７９および装着部５０に沿って洗浄水を速やかに流下させて、洗浄水が連結脚７９や装着部５０の周辺部分に滞留するのを防止できる。
【００６９】
肌面に電流を供給する肌電極６５を有し、熱刺激ヘッド１５が肌電極６５を兼ねるようにした美容器具によれば、肌面にイオン導出作用やイオン導入作用などの電気刺激を付与しながら、刺激付与具Ｂで擦り刺激を付与することができる。従って、熱刺激ヘッド１５による熱刺激と、両電極６５・６６による電気刺激と、刺激付与具Ｂの擦り刺激によるさらにマッサージ作用を発揮できる、多彩な美容機能を備えた美容器具が得られる。また、熱刺激ヘッド１５が肌電極６５を兼ねるようにすると、発熱ユニット２に肌電極６５を設ける必要がないので、美容器具の構造を簡素化できる。さらに、擦り体ホルダー７６で、熱刺激ヘッド１５の外面を覆う綿マットＣを押圧固定する美容器具によれば、発熱ユニット２の構造をさらに簡素化して、美容器具の製造コストをさらに削減できる。
【図面の簡単な説明】
【００７０】
【図１】本発明の実施例１に係る美容器具の要部の断面図である。
【図２】実施例１に係る美容器具の正面図である。
【図３】実施例１に係る美容器具の側面図である。
【図４】図１におけるＪ−Ｊ線断面図である。
【図５】実施例１に係る発熱ユニットの分解斜視図である。
【図６】実施例１に係る発熱ユニットの分解側面図である。
【図７】図１におけるＤ−Ｄ線断面図である。
【図８】図１におけるＥ−Ｅ線断面図である。
【図９】図１におけるＦ−Ｆ線断面図である。
【図１０】図１におけるＧ−Ｇ線断面図である。
【図１１】電気刺激用の電極と制御基板の接続状態の概略を示す説明図である。
【図１２】刺激付与具の縦断側面図である。
【図１３】刺激付与具の平面図である。
【図１４】本体部に綿マットと刺激付与具を装着した状態の縦断側面図である。
【図１５】実施例２に係る美容器具および刺激付与具の平面図である。
【図１６】図１５におけるＫ−Ｋ線断面図である。
【図１７】実施例３に係る美容器具および刺激付与具の平面図である。
【図１８】図１７におけるＬ−Ｌ線断面図である。
【図１９】実施例４に係る刺激付与具の断面図である。
【図２０】実施例５に係る美容器具および刺激付与具の平面図である。
【図２１】実施例５に係る刺激付与具の一部破断側面図である。
【図２２】実施例６に係る美容器具および刺激付与具の平面図である。
【図２３】図２２におけるＭ−Ｍ線断面図である。
【図２４】実施例７に係る美容器具および刺激付与具の一部破断側面図である。
【図２５】実施例８に係る美容器具および刺激付与具の平面図である。
【図２６】図２５におけるＮ−Ｎ線断面図である。
【図２７】実施例９に係る美容器具および刺激付与具の平面図である。
【図２８】図２７におけるＯ−Ｏ線断面図である。
【図２９】美容器具の参考例を示す一部破断側面図である。
【図３０】図２９に係る美容器具の要部の正面図である。
【発明を実施するための形態】
【００７１】
（実施例１）  図１ないし図１４は、本発明に係る美容器具の実施例１を示す。本発明における前後・左右・上下とは、図２および図３に示す交差矢印と、矢印の近傍に表記した前後・左右・上下の表示に従う。図２および図３において美容器具は、熱刺激機能およびイオン導出とイオン導入機能を発揮する本体部Ａと、肌面に擦り刺激を付与する刺激付与具Ｂとを備えている。
【００７２】
本体部Ａは、グリップを兼ねる円柱状の本体ケース１を基本構造体にして、その上部に発熱ユニット２を配置して構成してある。本体ケース１の前面には、スイッチパネル３が設けてあり、同パネル３の上から順に、電源をオン・オフする電源ボタン４と、熱切換えボタン５と、イオン切換えボタン６と、各ボタン４〜６の切換え状態を表示する表示灯４ａ、５ａ、５ｂ、６ａ、６ｂが設けてある。また、本体ケース１の後面には、イオン導入あるいはイオン導出に関連する第２電極６６が設けてある。
【００７３】
本体ケース１は、ヘッドケース９と把持ケース８とを有し、把持ケース８はヘッドケース９を前後に挟持固定する前ケース１０および後ケース１１で構成してある。ヘッドケース９の内部には発熱ユニット２が組まれ、前ケース１０および後ケース１１の内部には２次電池１２と制御基板１３が組込んである。制御基板１３には、先の各ボタン４〜６に対応するスイッチ４ｃ、５ｃ、６ｃが設けてある。
【００７４】
図１において、発熱ユニット２は、本体ケース１の外面に露出されて冷熱または温熱を肌面に作用させる熱刺激ヘッド１５と、本体ケース１の内部に収容されるヒートシンク１６と、熱刺激ヘッド１５とヒートシンク１６との間に配置されるペルチェ素子（熱電変換素子）１７、およびペルチェ素子１７を保護するスペーサー１８などで構成する。
【００７５】
熱刺激ヘッド１５は、熱伝導性に優れたアルミニウム製のダイキャスト成型品からなり、その殆どを占めるヘッド軸２１と、ヘッド軸２１の下部周面に形成されるフランジ状の張出壁２２と、張出壁２２より下方へ突設される伝熱部２３を一体に備えている。ヘッド軸２１は、正三角形の各頂部が丸められた断面形状に形成してあり、軸内部に後述するサーミスタ５１を収容する穴２４が形成され、軸頂部に肌接触面２５が上突湾曲状に形成してある。ヘッド軸２１の下部に張出壁２２を設けておくことにより、熱刺激ヘッド１５の組付時に、張出壁２２をヘッドケース９に設けた組付座４４で受止め支持できるので、熱刺激ヘッド１５がぐら付くのを防止して確りと固定することができる。
【００７６】
図５において、ヒートシンク１６は、熱伝導性に優れたアルミニウム製のダイキャスト成型品からなり、直方体状のシンクブロック２７と、シンクブロック２７の後および下面に設けた多数個の放熱フィン２８と、シンクブロック２７の左右両側に設けた締結座２９と、シンクブロック２７の上面に設けた伝熱部３０および受熱台３１を一体に備えている。シンクブロック２７の前面の中央には、スペーサー１８を位置決めする上下方向の位置決め溝３２が形成してある。放熱フィン２８は、その下端が前後ケース１０・１１の内部に入りこむ状態でシンクブロック２７から下方へ大きく突設してあって、その合計の表面積を大きくすることにより、シンクブロック２７に伝導した温熱あるいは冷熱を効果的に放熱できる。締結座２９には上下貫通状のねじ挿通穴３３が形成され、その上端にトンネル断面形の係合凹部３４が凹み形成してある。伝熱部３０の平面視形状は、ヘッド軸２１の断面形状に一致させてあり、受熱台３１の平面視形状は、ペルチェ素子１７の外形形状より僅かに大きな四角形状に形成してある。
【００７７】
ペルチェ素子１７は、厚みが薄い直方体状の市販されている発熱モジュールからなり、その上面と下面にはシリコーン樹脂製の伝熱シート３５が配置してある。ペルチェ素子１７に直流の駆動電流を供給することにより、例えば素子上面側を発熱させ、素子下面から吸熱を行うことができ、駆動電流の極性を反転することにより、素子下面側を発熱させ、素子上面から吸熱を行うことができる。こうした運転モードの違いは、電源ボタン４をオン操作したのち、熱切換えボタン５を１回オン操作するか、２回オン操作するかで切換えることができる。
【００７８】
スペーサー１８は、ペルチェ素子１７の周囲を囲む四角枠状のプラスチック成型品からなり、その前面の中央に縦長の位置決めリブ３８が一体に設けてある。図１および図８に示すように、発熱ユニット２をヘッドケース９に組付けた状態においては、ペルチェ素子１７の周囲がスペーサー１８で密閉状に覆われる。そのため、例えばペルチェ素子１７で熱刺激ヘッド１５を加熱している状態から、ペルチェ素子１７の作動を停止すると、熱容量が大きな熱刺激ヘッド１５から伝導するフィードバック熱によって、ペルチェ素子１７が過熱するおそれがある。こうしたフィードバック熱を速やかに放出するために、四角枠状のスペーサー１８の隅部分の合計４個所に熱放出用の溝状の排熱開口３９を形成している。スペーサー１８の前壁に形成した溝は、ペルチェ素子１７から導出した給電リードを通すための溝であるが、この溝も排熱開口３９と同様に熱放出機能を発揮する。また、スペーサー１８の前壁を除く周囲壁と位置決めリブ３８の上面に突起４０を設け、スペーサー１８および位置決めリブ３８の上面が熱刺激ヘッド１５の下面に密着するのを防いで、熱刺激ヘッド１５の熱がスペーサー１８側へ伝導するのを抑止している。このような熱遮断をより効果的に行うために、スペーサー１８は熱伝導しにくいプラスチック材で形成することが好ましい。
【００７９】
ヘッドケース９は、断面形状がヘッド軸２１と相似状に形成してある上側のヘッド筒壁４２と、これよりひとまわり大きな下側の丸筒状の連結筒壁４３を備えた、段丘状のプラスチック成型品からなる。発熱ユニット２をより簡単な構造でヘッドケース９に組むために、ヘッド筒壁４２の上端に、熱刺激ヘッド１５の張出壁２２を受止める組付座４４が形成され、組付座４４の中央にヘッド開口４５が形成してある。また、連結筒壁４３の内面の左右に、シンクブロック２７を締結するためのねじボス４６が一体に形成してある。図９に示すようにねじボス４６の周囲５個所には、寸法誤差を吸収するための縦リブ４７が形成してある。ヘッド筒壁４２と連結筒壁４３の間には肩部４８が形成してあり、連結筒壁４３の下端には前後ケース１０・１１で挟持される連結溝４９が形成してある。発熱ユニット２をヘッドケース９に組付けた状態では、先の縦リブ４７が係合凹部３４と接当するので、ねじボス４６の周面が係合凹部３４の内周面に密着することはない。この実施例では、ヘッド筒壁４２が後述する刺激付与具Ｂを着脱するための装着部５０を兼ねるようにした。
【００８０】
先に説明したように、熱刺激ヘッド１５の内部の穴２４にはサーミスタ５１が配置してある。この実施例では、サーミスタ５１として、温度上昇に伴って抵抗値が減少するＮＴＣサーミスタを使用し、穴２４に嵌め込んだセンサーホルダー５２でサーミスタ５１を保持した（図７参照）。図４に示すように、シリコーン樹脂で形成したセンサーホルダー５２は、その下端が伝熱シート３５を介してペルチェ素子１７と密着しており、その周面が穴２４の内面に密着しているので、ペルチェ素子１７および熱刺激ヘッド１５の熱をサーミスタ５１に伝える熱伝導体として機能する。
【００８１】
把持ケース８を構成する前ケース１０および後ケース１１は、それぞれ本体ケース１のグリップ部分を構成する前後に分割された半割りケースからなり、両者の上端にヘッドケース９の連結溝４９と係合する半円状の連結リブ５４が形成してある。また、前ケース１０の内面の上下４個所には、後ケース１１を締結するためのケースねじボス５５が形成され、後ケース１１のケース壁の上下にはケースねじボス５５に対応して４個のねじ挿通穴５６が形成してある。前ケース１０の内面には制御基板１３と、充電器から導出された給電プラグを接続するためのソケット５７が組付けてある。符号５８はソケット５７に設けた接続ピンである。
【００８２】
図１に示すように、４個のケースねじボス５５のうち、上側の左右一対のケースねじボス５５には、ヒートシンク１６の傾動を規制する傾動規制体６０が外嵌する状態で装着してある。傾動規制体６０は、ゴム、シリコーン樹脂、弾性変形可能な多孔質樹脂などの弾性材を素材にしてトンネル断面状に形成してあり、その中央寄りにケースねじボス５５に外嵌する装着穴６１が設けてある。また、ヒートシンク１６の放熱フィン２８と正対する傾動規制体６０の周面には、平坦なフィン受面６２が設けてある。
【００８３】
イオン導出およびイオン導入の美容処理を行うために電気刺激構造を設けている。図１１において、電気刺激構造は肌面と接触する第１電極（肌電極）６５と、本体ケース１の後部に設けた第２電極（グリップ電極）６６と、これらの電極６５・６６に微弱なパルス電流を供給する制御回路などで構成する。この実施例では、熱刺激ヘッド１５を利用して第１電極６５とした。図示していない制御回路は、制御基板１３に実装してあり、第１電極６５と第２電極６６のいずれか一方をプラス極性にし、他方をマイナス極性にしてパルス電流を供給する。
【００８４】
発熱ユニット２はヘッドケース９に対して以下の要領で組付ける。組付けに際しては、予めヘッド軸２１にサーミスタ５１とセンサーホルダー５２を装着し、ヘッド軸２１の基端部にＯリング６８を装着しておく。また、図６に示すように、シンクブロック２７の受熱台の上面にペルチェ素子１７を伝熱シート３５と共に組んだうえで、スペーサー１８をシンクブロック２７に組付けておく。次に、熱刺激ヘッド１５をヘッドケース９の内面側からヘッド開口４５に挿通して、肌接触面２５をヘッドケース９の上方に突出させる。さらに、ペルチェ素子１７やスペーサー１８をヒートシンク１６と共に組んで、スペーサー１８を熱刺激ヘッド１５の伝熱部２３に装着し、シンクブロック２７の締結座２９をヘッドケース９のねじボス４６に接合して、ねじボス４６と係合凹部３４を係合する。この状態で、図１に示すように２個のビス（シンク締結ねじ）６９をねじボス４６にねじ込むことにより、発熱ユニット２をヘッドケース９と一体化できる。
【００８５】
上記のように、本体ケース１とヒートシンク１６で、熱刺激ヘッド１５、ペルチェ素子１７、スペーサー１８の３者を固定保持すると、ヒートシンク１６をビス６９で本体ケース１に締結するだけで、前記３者１５・１７・１８を同時に、しかも確りと固定することができる。従って、発熱構造部の構成部品の全てをより簡単な構造で確りと締結固定することができ、その分だけ組付けの手間を省くことができる。
【００８６】
また、熱刺激を付与するのに必要不可欠な熱刺激ヘッド１５、ヒートシンク１６、ペルチェ素子１７、およびスペーサー１８で発熱構造部を構成するので、従来の美容器具に比べて無駄な部品を省いて、発熱構造部の構造を簡素化しコンパクト化でき、これに伴い発熱構造部を備えた美容器具の小型化とコンパクト化を実現できる。さらに、ペルチェ素子１７からヒートシンク１６に伝導した熱を、ビス６９を介して本体ケース１に伝導し、本体ケース１の表面において放熱することができるので、ヒートシンク１６による放熱効果を向上できる。
【００８７】
さらに、シンクブロック２７の締結座２９に設けた係合凹部３４をヘッドケース９のねじボス４６に係合して、ヒートシンク１６を前後左右に位置決めした状態で、ビス６９をねじボス４６にねじ込むので、ヒートシンク１６のねじボス４６に対する締結を的確に、しかも強固に行える。さらに、係合凹部３４をねじボス４６に係合する状態においては、縦リブ４７の突端が係合凹部３４に接当して寸法のばらつきを吸収するので、常に適正にヒートシンク１６をヘッドケース９に固定することができる。
【００８８】
ヘッドケース９に固定した状態の熱刺激ヘッド１５は、スペーサー１８およびヒートシンク１６で押圧されて、その張出壁２２がＯリング６８を介して組付座４４に押し付けられており、張出壁２２の周囲がヘッド筒壁４２の内面で受止められている。また、ペルチェ素子１７は、ヒートシンク１６の受熱台３１と熱刺激ヘッド１５の伝熱部２３で挟持固定されている。つまり、熱刺激ヘッド１５およびペルチェ素子１７は、ヘッドケース９と同ケースに締結したヒートシンク１６およびスペーサー１８で固定保持されている。最後に、２次電池１２や制御基板１３が組付けられた前ケース１０および後ケース１１の連結リブ５４をヘッドケース９の連結溝４９に係合して、図１０に示すように、４個のビス（ケース締結ねじ）７０をケースねじボス５５にねじ込むことにより本体部Ａの組立を完了できる。この状態のヒートシンク１６の放熱フィン２８の両側面は、傾動規制体６０のフィン受面６２で受止められている。そのため、放熱フィン２８が熱膨張し、あるは熱収縮するとき、放熱フィン２８の変形を、傾動規制体６０が圧縮変形しあるいは膨張変形して吸収できる。
【００８９】
図１２ないし図１４において刺激付与具Ｂは、ヘッドケース９の装着部５０（ヘッド筒壁４２）に着脱される連結部７５と、連結部７５の上部の周囲３個所に設けたボールホルダー（擦り体ホルダー）７６と、ボールホルダー７６で回転自在に支持したプラスチック製のボール（擦り体）７７を備えている。連結部７５は、上端の連結端壁７８と、連結端壁７８の周囲から下向きに突設される３個の連結脚７９を備えており、連結端壁７８の中央にヘッド軸２１を通すための軸通口８０が形成してある。図１４に示すように、周方向へ隣接する連結脚７９の間は通水開口８５になっており、洗浄水を効果的に流下できるうえ、通水開口８５の分だけ刺激付与具Ｂを軽量化できる。刺激付与具Ｂをヘッド筒壁４２に装着した状態において、各連結脚７９はヘッド筒壁４２の頂部が丸められた筒壁部分に弾性変形した状態で係合する。
【００９０】
ボールホルダー７６は、スリット８１で分割された周長の長い２個の保持筒壁８２と、周長の短い２個の保持筒壁８３で形成してあり、これら保持筒壁８２・８３の内面の上端に３対の抜止爪８４が形成してある。図１３に示すように、抜止爪８４はスリット８１に臨んで形成してある。各保持筒壁８２・８３の内面を通る仮想円の直径は、ボール７７の球直径より僅かに大きく、抜止爪８４の爪端を通る仮想円の直径は、ボール７７の球直径より僅かに小さく設定してある。これにより使用時におけるボール７７は、肌面に沿って回転しながら擦り刺激を付与することができる。なお、ボール７７は各保持筒壁８２・８３を拡開状に弾性変形させながら押込むことにより、ボールホルダー７６の内部に装着することができる。
【００９１】
刺激付与具Ｂは、肌接触面２５の表面を覆う綿マットＣを固定保持するためのマット固定具を兼ねており、合計６個の周長の短い保持筒壁８３の下端で綿マットＣの周縁を挟持固定する（図１４参照）。上記のように、ボール７７を３対の抜止爪８４で支持することにより、ボール７７の下周面はボールホルダー７６の下面側に露出する。従って、刺激付与具Ｂを洗浄するとき、ボール７７の表面をくまなく洗浄できる。
【００９２】
ボール７７を本体ケース１に対して上下フロート可能に支持するためにフロート構造を設けている。フロート構造は、各ボールホルダー７６の底に設けた弾性変形可能な３個の受腕８７で構成してある。受腕８７は、先のスリット８１の下端壁に連続して斜め下向きに連出される腕基部８８と、腕基部８８の下端から斜め上向きに連出される支持腕部８９で形成してあり、ボールホルダー７６に装着したボール７７の下周面を支持腕部８９の先端で受止める。この実施例における受腕８７は、ボール７７を押上げ付勢するフロートばね（可撓体）９０を兼ねている。使用時におけるボール７７は、受腕８７で押上げられた待機位置と、受腕８７の付勢力に抗して押下げられたフロート位置との間で上下フロートできる。
【００９３】
刺激付与具Ｂをヘッド筒壁４２に装着した状態を図１４に示す。この状態のボール７７の頂部を通る第１仮想平面Ｈ１は、熱刺激ヘッド１５の頂部、すなわち肌接触面２５の頂部を通るヘッド仮想平面Ｈより上側に位置させてある。また、ボール７７が肌反力を受けて、受腕８７を弾性変形させながらボールホルダー７６内へ最大限沈み込んだフロート位置においては、ボール７７の頂部を通る第２仮想平面Ｈ２が、肌接触面２５の頂部を通るヘッド仮想平面Ｈより下側に位置させてある。ボールホルダー７６とヘッドケース９の肩部４８との間には通水空間Ｓが確保してあり、同空間Ｓを設けることにより洗浄水の排出を容易化している。
【００９４】
肌接触面２５とボール７７の関係は、次のように設定してある。肌接触面２５の面積は、平面視における１個のボール７７の面積より大きく設定してあるが、平面視における３個のボール７７の合計面積は、肌接触面２５の面積より大きく設定してある。上突湾曲状に形成した肌接触面２５の曲率が小さく設定してあるのに対し、ボール７７の曲率は大きく設定してある。こうした刺激付与具Ｂによれば、熱刺激ヘッド１５で肌面に強い擦り刺激を付与でき、ボール７７で肌面に対して局部的な弱い擦り刺激を付与できる。
【００９５】
以上のように構成した美容器具は、ヘッド筒壁４２に刺激付与具Ｂを装着した状態で、ヘッド軸２１の肌接触面２５とボール７７で顔肌（肌面）を同時に擦ることにより、肌面に物理的な刺激を付与できる。詳しくは、美容用液を含浸させた綿マットＣを肌接触面２５の表面に装着した状態で、第１電極６５および第２電極６６に微弱なパルス電流を供給して行うイオン導入モード、あるいはイオン導出モードで肌面に電気刺激を付与できる。また、ペルチェ素子１７で生成した温熱あるいは冷熱を熱刺激ヘッド１５に伝導して、肌面に熱刺激を付与する温熱刺激モード、あるいは冷熱刺激モードで肌面に刺激を付与できる。
【００９６】
イオン導入モードの場合には、電源ボタン４をオン操作したのち、イオン切換えボタン６をオン操作することにより、図２に向かって左側の表示灯６ａが点灯し、第１電極６５をマイナス極性、第２電極６６をプラス極性とした電圧が、制御回路から両電極６５・６６に印加される。この状態で、綿マットＣとボール７７を顔肌にあてがって擦ることにより、イオン導入を行って美容用液の保湿成分を肌に浸透させることができる。イオン導入時には、ボール７７による優しい擦り刺激を付与してマッサージ効果を発揮できる。また、第２電極６６を含む把持ケース８を握り、第１電極６５を手入れしたい顔肌にあてがうことにより、肌面に微弱な電流を供給できる。このとき、第１電極６５はプラス極性で第２電極６６はマイナス極性であるので、綿マットＣとボール７７を顔肌（肌面）にあてがって擦ることにより、イオン導出モードで肌面に刺激を付与できる。
【００９７】
イオン導出モードの場合には、電源ボタン４をオン操作したのち、イオン切換えボタン６を２回オン操作することにより、図２に向かって右側の表示灯６ｂが点灯し、第１電極６５をプラス極性、第２電極６６をマイナス極性とした電圧が、制御回路から両電極６５・６６に印加される。この状態で、綿マットＣとボール７７を顔肌にあてがって擦ることにより、イオン導出を行って顔肌の微細な汚れを落とすことができる。イオン導出時にはボール７７による優しい擦り刺激を付与しながら顔肌を伸長させて、微細な汚れの排出を促進することができる。また、ボール７７の擦り刺激によってマッサージ効果を発揮できる。第２電極６６を含む把持ケース８を握り、第１電極６５を手入れしたい顔肌にあてがうことにより、肌面に微弱な電流を供給できる。このとき、第１電極６５はプラス極性で第２電極６６はマイナス極性であるので、綿マットＣとボール７７を顔肌（肌面）にあてがって擦ることにより、イオン導出モードで肌面に刺激を付与できる。
【００９８】
温熱刺激モードにおいては、電源ボタン４をオン操作したのち、熱切換えボタン５をオン操作することにより、図２に向かって左側の表示灯５ａが点灯し、ペルチェ素子１７で生成した温熱が熱刺激ヘッド１５に伝導される。このとき、ペルチェ素子１７で生成した冷熱は、シンクブロック２７へ伝導され、放熱フィン２８から放熱される。このように、熱刺激ヘッド１５をボール７７の温度より高い温度に加熱した状態で、熱刺激ヘッド１５の肌接触面２５とボール７７を顔肌に同時にあてがって擦ることにより、肌面に温熱刺激と擦り刺激を同時に付与して、血行を促進し顔肌を活性化できる。温熱刺激モードにおいては、熱刺激ヘッド１５の肌接触面２５で強い擦り刺激を付与し、ボール７７で弱い擦り刺激が付与される。なお、冷熱を放熱する際の放熱フィン２８の収縮変形は、傾動規制体６０が膨張変形して吸収する。
【００９９】
冷熱刺激モードにおいては、電源ボタン４をオン操作したのち、熱切換えボタン５を２回オン操作することにより、図２に向かって右側の表示灯５ｂが点灯し、ペルチェ素子１７で生成した冷熱が熱刺激ヘッド１５に伝導される。また、ペルチェ素子１７で生成した温熱は、シンクブロック２７へ伝導され、放熱フィン２８から放熱される。このように、熱刺激ヘッド１５をボール７７の温度より低い温度に冷却した状態で、熱刺激ヘッド１５の肌接触面２５とボール７７を顔肌に同時にあてがって擦ることにより、肌面に冷熱刺激と擦り刺激を同時に付与して、顔肌を引締めることができる。冷熱刺激モードにおいては、熱刺激ヘッド１５の肌接触面２５で強い擦り刺激を付与し、ボール７７で弱い擦り刺激が付与される。なお、温熱を放熱する際の放熱フィン２８の膨張変形は、傾動規制体６０が収縮変形して吸収する。
【０１００】
上記の各刺激モードにおいては、ボール７７が待機位置とフロート位置との間で上下フロートして、ボール７７による擦り刺激が肌面に対して過剰に作用するのを防止できる。そのため、フロート構造を備えていない美容器具に比べて、ボール７７の肌面に対するタッチ（接触感）をさらにソフトで優しいものとすることができる。また、立体的な肌面の変化に追随してボール７７が上下フロートするので、ボール７７による擦り刺激を肌面に対して効果的に付与できる。また、ペルチェ素子１７で生成した温熱はもちろん、ペルチェ素子１７で生成した冷熱を熱刺激ヘッド１５で肌面に付与できるので、肌面に対する熱刺激を多様化して美容効果を向上できる。なお、イオン導出モードおよびイオン導入モードと、温熱刺激モードおよび冷熱刺激モードは、各モードを単独で作動させることができるが、相互に組み合わせを変更した状態で同時に駆動することができる。詳しくは、電源ボタン４がオン状態にあるとき、イオン切換えボタン６を１回押せばイオン導入モードとなり、イオン切換えボタン６を２回押せばイオン導出モードとなり、イオン切換えボタン６を３回押せば各電極６５・６６への電流供給がオフされる。また、電源ボタン４がオン状態にあるとき、熱切換えボタン５を１回押せば温熱刺激モードとなり、熱切換えボタン５を２回押せば冷熱刺激モードとなり、熱切換えボタン５を３回押せばペルチェ素子１７への電流供給がオフされる。以上により、イオン導出モードと、イオン導入モードと、温熱刺激モードと、冷熱刺激モードの各モードを単独で作動させることができる。また、イオン導入モード時に、温熱刺激モードと冷熱刺激モードのいずれか一方を同時に作動させることができ、同様にイオン導出モード時に、温熱刺激モードと冷熱刺激モードのいずれか一方を同時に作動させることができる。このように、美容器具は８種の作動パターンに切換えることができる。
【０１０１】
実施例１においては、擦り体ホルダー７６に複数の受腕８７を設け、これをフロートばね９０としてボール（擦り体）７７をフロート支持したが、受腕８７は擦り体７７の側に設けることができる。例えば、擦り体７７を半球状の擦り面を備えた円筒体（筒体）で形成し、その下端に受腕８７を一体に設けておく。さらに、保持筒壁８２・８３の下方に受壁を設けて、受腕８７の自由端を受壁で支持する。この構成によってもボール（擦り体）７７を、擦り体ホルダー７６および本体ケース１に対してフロート可能に支持できる。
【０１０２】
（実施例２）  図１５および図１６は、本発明に係る美容器具の実施例２を示す。そこでは、刺激付与具Ｂを連結筒壁４３に着脱して、連結筒壁４３が装着部５０を兼ねるようにした。この実施例における刺激付与具Ｂは、連結部７５と、連結部７５の上部の周囲３個所に設けたボールホルダー７６と、ボールホルダー７６で回転自在に支持したプラスチック製のボール７７で構成した。連結部７５は、部分筒壁からなる３個の連結脚７９で構成し、隣接する連結脚７９の間に隙間９３を設けて、連結脚７９の隣接端の上部にボールホルダー７６を設けるようにした。隙間９３は実施例１で説明した通水開口８５として機能する。また、ボールホルダー７６は、スリット８１で分割された３個の保持筒壁８２で形成し、各保持筒壁８２の隣接部に臨んで抜止爪８４を設けた。さらに、熱刺激ヘッド１５のヘッド軸２１を丸軸状に形成して、肌接触面２５を部分球面状に形成した。実施例２のフロート構造は、実施例１のフロート構造と同じである。他の構成は先の実施例１と同じであるので、同じ部材に同じ符号を付してその説明を省略する。以下の実施例においても同じとする。
【０１０３】
（実施例３）  図１７および図１８は、本発明に係る美容器具の実施例３を示す。そこでは、実施例１と同様にヘッド筒壁４２が装着部５０を兼ねるようにした。刺激付与具Ｂは、ヘッド筒壁４２に装着される三角枠状の連結部７５と、３個のボールホルダー７６およびボール７７と、連結部７５とボールホルダー７６との間に設けたフロートばね（可撓体）９０で構成した。フロートばね９０は金属製の板ばねからなり、その基端が連結部７５の肉壁内に固定され、その先端がボールホルダー７６を構成する保持筒壁８２の肉壁内に固定してある。この実施例においては、フロートばね９０が上下に弾性変形することで、ボールホルダー７６がフロートばね９０とともにフロート傾動して、ボール７７を上下フロートさせる。ボールホルダー７６の下開口には、実施例１における受腕８７に換えてＹ字状の支持枠９４が設けてあり、この支持枠９４でボール７７を受止めている。実施例３のフロート構造は、連結部７５と、ボールホルダー７６と、これら両者の間に設けたフロートばね９０で構成してある。
【０１０４】
（実施例４）  図１９は、本発明に係る美容器具の実施例４を示す。そこでは、実施例３と同様に、ヘッド筒壁４２に装着される三角枠状の連結部７５と、３個のボールホルダー７６およびボール７７と、連結部７５とボールホルダー７６を繋ぐホルダー腕９５などで刺激付与具Ｂを構成した。また、ホルダー腕９５の中途部には、逆Ｕ字状のフロートばね（可撓体）９０を一体に設けた。この実施例においては、フロートばね９０が上下に弾性変形することで、ボールホルダー７６がフロートばね９０とともにフロート傾動して、ボール７７を上下フロートさせる。実施例４のフロート構造は、連結部７５と、ボールホルダー７６と、これら両者の間に設けたホルダー腕９５およびフロートばね９０で構成してある。連結部７５、ボールホルダー７６、フロートばね９０、およびホルダー腕９５は、プラスチック成型されて一体化してある。
【０１０５】
（実施例５）  図２０および図２１は、本発明に係る美容器具の実施例５を示す。そこでは、連結筒壁４３に装着されるリング状の連結部７５と、連結部７５の周囲を囲むフロート枠９６と、フロート枠９６の左右に設けた２個のボールホルダー７６およびボール７７などで刺激付与具Ｂを構成した。フロート枠９６は、ハット形に形成した前後一対のフロート腕９７を備えており、フロート腕９７の側端間にボールホルダー７６が一体に設けてある。フロート腕９７の左右中央には傾動ボス９８が設けてあり、同ボス９８を連結筒壁４３に設けた前後一対のフロート軸９９で軸支することにより、フロート枠９６がフロート軸９９を中心にしてシーソー傾動（上下傾動）できるようにしている。
【０１０６】
左右のボールホルダー７６は、フロート枠９６を中立位置へ復帰付勢する左右一対のフロートばね９０で支持されている。板ばねからなるフロートばね９０の基端は、連結部７５の肉壁内に固定され、先端部は支持枠９４の下面に接当している。この実施例においては、フロート枠９６がシーソー傾動するとき、フロートばね９０が上下に弾性変形することで、ボールホルダー７６がフロートばね９０とともにフロート傾動して、ボール７７を上下フロートさせる。また、片方のボール７７が肌反力を受けて下向きにフロート傾動するとき、残るボール７７は先のボール７７とは逆に上向きにフロート傾動する。実施例５のフロート構造は、連結部７５と、ボールホルダー７６と、これら両者の間に設けたフロート枠９６と、フロートばね９０などで構成してある。フロートばね９０は捩じりコイルばねで形成することができ、その場合には、傾動ボス９８とフロート軸９９にフロートばね９０を配置して、フロート枠９６を中立位置へ復帰付勢することができる。
【０１０７】
（実施例６）  図２２および図２３は、本発明に係る美容器具の実施例６を示す。そこでは、ヘッド筒壁４２に装着されるリング状の連結部７５と、連結部７５の周囲を囲むリング状のフロート枠９６と、フロート枠９６の周囲３個所に設けた３個のボールホルダー７６およびボール７７などで刺激付与具Ｂを構成した。フロート構造は、先のフロート枠９６と、連結部７５とフロート枠９６との間に配置されて、フロート枠９６を中立状態へ復帰付勢する６個のフロートばね９０と、連結部７５の周囲に張出し形成した枠支持壁１０１などで構成する。フロートばね９０は圧縮コイルばねからなり、その上端が連結部７５の上部に固定したばね受リング１０２で受止められ、その下端はフロート枠９６の内面下部に張出したリング状のフロート座１０３で受止めてある。フロート枠９６はホルダー腕９５を介してボールホルダー７６と繋がっており、これら３者は一体に成形してある。
【０１０８】
３個のボール７７のうちのひとつが肌反力を受けて下向きに傾動すると、フロート枠９６の全体が傾動して、傾動したボール７７と対向する側のフロートばね９０がフロート座１０３で圧縮変形される。このときのフロート枠９６は、傾動したボール７７に最も近い位置にある枠支持壁１０１の周縁を傾動支点にして傾動する。肌反力が解放されると、圧縮変形されていたフロートばね９０のばね力によって、フロート枠９６は図２３に示す中立位置へ戻され、浮き離れていたフロート座１０３が再び枠支持壁１０１で支持される。この実施例においては、ひとつ、または二つのボール７７が肌反力を受けて下向きにフロート傾動するとき、残るボール７７は先のボール７７とは逆に上向きにフロート傾動する。しかし、フロート枠９６が傾動するときの支点位置は一様ではないので、ボール７７の傾動軌跡は複雑に変化する。
【０１０９】
（実施例７）  図２４は、本発明に係る美容器具の実施例７を示す。そこでは、ヒートシンク１６を含む発熱ユニット２の全体をヘッドケース９に収容し、ヘッドケース９の全体を把持ケース８で上下フロートかつ傾動可能に支持して、ヘッドフロートばね１０６で押上げ付勢した。詳しくは、ヘッドケース９の下部に首振軸１０７とフロート座１０３を設け、前後ケース１０・１１に設けたフロート区画１０８内に、ヘッドフロートばね１０６とフロート座１０３を収容した。フロート区画１０８の上壁には、首振軸１０７つまりヘッドケース９の全方位方向への傾動を許す傾動窓１０９が開口してある。刺激付与具Ｂは、ヘッド筒壁４２に装着されるリング状の連結部７５と、連結部７５の周囲３個所から連出されるホルダー腕９５と、ホルダー腕９５の先端に設けたボールホルダー７６およびボール７７などで構成してある。ボール７７はボールホルダー７６で上下フロート可能に支持されて、同ホルダー７６に収容したフロートばね９０で押上げ付勢してある。
【０１１０】
３個のボール７７のうちのひとつが肌反力を受けると、ボール７７はフロートばね９０のばね力に抗してボールホルダー７６の底面側へ沈込む。このとき、ヘッドケース９には傾動モーメントが作用するため、発熱ユニット２およびヘッドケース９は、ヘッドフロートばね１０６のばね力に抗しながら、ボール７７の沈込み方向と同じ方向へ傾動する。つまり、ボール７７の上下フロート動作に連動して、発熱ユニット２およびヘッドケース９が上下傾動して、肌面に擦り刺激を付与する。肌反力が解放されると、ボール７７はフロートばね９０のばね力で押上げ操作される。同時に、圧縮変形されていたヘッドフロートばね１０６のばね力によって、ヘッドケース９が図２４に示す中立位置へ戻されて、フロート座１０３の上面がフロート区画１０８の上壁で受止められる。以上のように、ヘッドケース９の全体を把持ケース８で上下フロートかつ傾動可能に支持する美容器具によれば、ボール７７を支持するばね９０と、ヘッドケース９を支持するばね１０６が弾性変形することで、肌面に対する刺激をさらに緩和できる。
【０１１１】
（実施例８）  図２５および図２６は、本発明に係る美容器具の実施例８を示す。そこでは、刺激付与具Ｂをヘッド筒壁４２から突出するヘッド軸２１に着脱して、ヘッド軸２１が装着部５０を兼ねるようにした。この実施例における刺激付与具Ｂは、ヘッド軸２１に装着される三角枠状の連結部７５と、連結部７５の周囲３個所に設けたボールホルダー７６、およびボール７７などで構成した。さらに、肌接触面２５の中央にフロート穴１１２を設け、その内部に刺激付与具Ｂを構成するボールホルダー（擦り体ホルダー）１１３とボール（擦り体）１１４を収容した。フロート穴１１２は装着部５０として機能しており、ボールホルダー１１３は連結部７５として機能する。ボール１１４を上下フロート可能に支持するために、ボールホルダー１１３の底に弾性変形可能な３個の受腕１１５を設けている。受腕１１５は、実施例１で説明した受腕８７と同様の、腕基部１１６と支持腕部１１７を備えていて、フロートばね１１８を兼ねている。ヘッド軸２１に設けたボール１１４の直径は、ボール７７の直径より小さい。この実施例における刺激付与具Ｂは、ボールホルダー７６およびボール７７と、ボールホルダー１１３およびボール１１４を含む概念である。
【０１１２】
刺激付与具Ｂのボール７７と熱刺激ヘッド１５の肌接触面２５を肌面に押し付けた状態では、肌接触面２５の中央に設けたボール１１４が、受腕１１５の弾性力に抗しながらボールホルダー１１３内へ沈込み、肌面に沿って回転しながらボール７７と協同して擦り刺激を付与する。このように、熱刺激ヘッド１５にボール１１４が配置してあると、肌接触面２５で肌面を擦って熱刺激を付与するのと同時に、熱刺激が付与された肌面にボール１１４で擦り刺激を付与できるので、熱刺激と擦り刺激の相乗効果によってさらに美容効果を向上できる。自由状態において、ボール７７・１１４の頂部を通る第１仮想平面Ｈ１は、肌接触面２５の頂部を通るヘッド仮想平面Ｈより上側に位置させてある。また、ボール７７・１１４が肌反力を受けてボールホルダー７６・１１３内へ最大限沈み込んだフロート位置においては、ボール７７・１１４の頂部を通る第２仮想平面Ｈ２が、肌接触面２５の頂部を通るヘッド仮想平面Ｈより下側に位置させてある。
【０１１３】
（実施例９）  図２７よび図２８は、本発明に係る美容器具の実施例９を示す。そこでは、刺激付与具Ｂをヘッドケース９と一体化して、熱刺激ヘッド１５で肌面に電気刺激や熱刺激を付与するのと同時に、刺激付与具Ｂのボール７７で擦り刺激を付与できるようにした。詳しくは、ヘッド筒壁４２の周囲３個所にボールホルダー７６を一体に形成し、その内部にボール７７とフロートばね９０を収容した。
【０１１４】
実施例９に係る美容器具は、以下の形態で実施できる。
熱刺激機能を備えた本体部Ａと、肌面に擦り刺激を付与する刺激付与具Ｂとを備えており、
本体部Ａは、本体ケース１と、本体ケース１のヘッドケース９に設けられて冷熱または温熱を肌面に付与する発熱ユニット２を備えており、
発熱ユニット２は、ヘッドケース９の外面に露出されて冷熱または温熱を肌面に作用させる熱刺激ヘッド１５と、本体ケース１の内部に収容されるヒートシンク１６と、熱刺激ヘッド１５とヒートシンク１６との間に配置される熱電変換素子１７を含み、
熱刺激ヘッド１５の周囲の少なくとも１個所に、擦り体７７と擦り体７７を支持する擦り体ホルダー７６が配置されており、
擦り体ホルダー７６が、ヘッドケース９と一体に設けてある美容器具。
【０１１５】
（参考例）  図２９よび図３０は、美容器具の参考例を示す。美容器具は、イオン導出とイオン導入などの電気刺激機能を発揮する本体部Ａと、肌面に擦り刺激を付与する刺激付与具Ｂとを備えている。本体部Ａは、グリップを兼ねる本体ケース１２１と、本体ケース１２１の前面に配置したシートホルダー１２２と、本体ケース１２１の前面上部に設けられて電気刺激を付与する肌刺激ヘッド１２３などで構成している。本体ケース１の後面には、電源ボタン１２４とイオン切換えボタン１２６が設けてあり、本体ケース１の左右両側にはグリップ電極１３１が設けてある。
【０１１６】
側面視における本体ケース１は前突湾曲状に形成されており、その内部に２次電池１２５と、表示灯１２７と、バイブレーター１２８などが設けてある。イオン導出およびイオン導入の美容処理を行うために、本体ケース１２１に電気刺激構造を設けている。電気刺激構造は、手入れされる肌面に電流を供給する肌電極１３０と、本体ケース１２１の側面に設けたグリップ電極１３１と、これらの電極１３０・１３１に微弱なパルス電流を供給する制御回路などで構成する。この実施例では、肌刺激ヘッド１２３を利用して肌電極１３０とした。
【０１１７】
制御回路は、２次電池１２５の前側に配置した制御基板（図示していない）に実装してあり、肌電極１３０とグリップ電極１３１のいずれか一方をプラス極性にし、他方をマイナス極性にしてパルス電流を供給する。バイブレーター１２８は、肌刺激ヘッド１２３の内部後方に配置してあり、電気刺激を付与する際に肌面に振動を作用させて、肌面をほぐすことができる。肌刺激ヘッド１２３は導電性に優れた金属板材を断面台形状にプレス成形して形成してあり、その開口周縁壁が本体ケース１２１の前壁に固定してある。肌刺激ヘッド１２３の突端面には、前突湾曲状の肌接触面１３２が形成してある。
【０１１８】
シートホルダー１２２は、肌刺激ヘッド１２３の外面に被せ付けた綿マットＣを押え保持するために設けてあり、本体ケース１２１の前面に被さるアーム部１３４を有し、アーム部１３４の上端に綿マットＣを押え保持する円形の押え窓１３５が設けてある。押え窓１３５の本体ケース１２１との対向縁には、挟持リング１３６が設けてある。アーム部１３４は、本体ケース１２１の湾曲形状に沿って前突湾曲状に形成してあり、その左右側壁の下端が本体ケース１２１に対して揺動軸１３７で前後揺動可能に連結してある。これにより、シートホルダー１２２は、肌刺激ヘッド１２３と協同して綿マットＣを挟持する使用姿勢と、図２９に想像線で示すように、押え窓１３５が肌刺激ヘッド１２３から分離する開放姿勢とに姿勢変更できる。
【０１１９】
刺激付与具Ｂは、図３０に示すように、押え窓１３５の周囲６個所に設けたボールホルダー（擦り体ホルダー）１４０と、ボールホルダー１４０で回転自在に支持したプラスチック製のボール（擦り体）１４１と、ボール１４１を前向きに移動付勢するフロートばね１４２を備えている。ボールホルダー１４０は先のアーム部１３４と一体に形成してあり、その前開口の内面に抜止爪１４３が形成してある。フロートばね１４２は圧縮コイル形のばねからなる。フロートばね１４２で移動付勢されたボール１４１は、球面の一部がボールホルダー１４０の前面から露出する待機位置と、フロートばね１４２の付勢力に抗してボールホルダー１４０内へ沈込むフロート位置との間で前後にフロート変位できる。
【０１２０】
以上のように構成した美容器具は、以下のように使用する。まず、化粧水などの美容用液を含浸させた綿マットＣを、肌刺激ヘッド１２３の肌接触面１３２に被せ付け、シートホルダー１２２を使用姿勢にして、綿マットＣの周縁部分を挟持リング１３６と本体ケース１２１で挟持固定する。この状態で電源ボタン１２４とイオン切換えボタン１２６をオン操作し、肌電極１３０およびグリップ電極１３１に微弱なパルス電流を供給し、肌面に電気刺激と刺激付与具Ｂによる擦り刺激を付与する。
【０１２１】
電気刺激には、イオン導入モードとイオン導出モードがあり、イオン導入モードの場合には、電源ボタン１２４をオン操作したのち、イオン切換えボタン１２６をオン操作することにより、肌電極１３０をマイナス極性、グリップ電極１３１をプラス極性とした電圧が、制御回路から両電極１３０・１３１に印加される。この状態で、綿マットＣとボール１４１を顔肌にあてがって擦ることにより、イオン導入を行って美容用液の保湿成分を肌に浸透させることができる。イオン導入時には、ボール１４１による優しい擦り刺激を付与して顔肌を活性化し、マッサージ効果を発揮できる。
【０１２２】
イオン導出モードの場合には、電源ボタン１２４をオン操作したのち、イオン切換えボタン１２６を２回オン操作することにより、肌電極１３０をプラス極性、グリップ電極１３１をマイナス極性とした電圧が、制御回路から両電極１３０・１３１に印加される。この状態で、綿マットＣとボール１４１を顔肌にあてがって擦ることにより、イオン導出を行って顔肌の微細な汚れを落とすことができる。イオン導出時にはボール１４１による優しい擦り刺激を付与しながら顔肌を伸長させて、微細な汚れの排出を促進することができる。また、ボール１４１の擦り刺激によってマッサージ効果を発揮できる。
【０１２３】
参考例に係る美容器具は、以下の形態で実施できる。
電気刺激機能を発揮する本体部Ａと、肌面に擦り刺激を付与する刺激付与具Ｂとを備えており、
本体部Ａは、本体ケース１２１と、本体ケース１２１に対して揺動軸１３７で連結されて揺動開閉するシートホルダー１２２と、本体ケース１２１に設けられて肌面に電気  刺激を付与する電気刺激構造および肌刺激ヘッド１２３を備えており、
シートホルダー１２２には、肌刺激ヘッド１２３の外面に被さる綿マットＣを押え保持する押え窓１３５が設けられており、
刺激付与具Ｂは、肌刺激ヘッド１２３の周囲の少なくとも１個所に設けた擦り体１４１と、擦り体１４１を支持する擦り体ホルダー１４０を含み、
擦り体ホルダー１４０はシートホルダー１２２と一体に設けられており、
肌刺激ヘッド１２３で肌面に電気刺激を付与するのに並行して、刺激付与具Ｂの擦り体１４１で肌面に擦り刺激を付与することを特徴とする美容器具。
【０１２４】
肌刺激ヘッド１２３の周囲の複数個所にボールホルダー１４０が等間隔おきに配置されており、
擦り体がボール１４１で形成されて、ボールホルダー１４０で回転自在に支持されており、
ボール１４１が、ボールホルダー１４０の内部に配置したフロートばね１４２で、ボールホルダー１４０から突出する向きに移動付勢してある美容器具。
【０１２５】
電気刺激構造は、肌面に電気刺激を付与する肌電極１３０と、本体ケース１２１の側面に設けたグリップ電極１３１と、これらの電極１３０・１３１に微弱なパルス電流を供給する制御回路を備えており、
電気刺激構造は、肌電極１３０とグリップ電極１３１のいずれか一方をプラス極性にし、他方をマイナス極性にしてパルス電流を供給することにより、イオン導入モードあるいはイオン導出モードで肌面に刺激を付与できる美容器具。
【０１２６】
上記の実施例においては、擦り体７７がボールである場合について説明したが、その必要はなく、擦り体７７は上面が半球状に丸められた軸体で形成してあってもよい。熱刺激ヘッド１５は、本体ケース１の上端に設ける必要はなく、参考例で示すように本体ケース１の上部周面に突設してあってもよい。
【符号の説明】
【０１２７】
Ａ    本体部
１    本体ケース
２    発熱ユニット
９    ヘッドケース
１５  熱刺激ヘッド
１６  ヒートシンク
１７  電熱変換素子（ペルチェ素子）
２１  ヘッド軸
２２  張出壁
２５  肌接触面
４２  ヘッド筒壁
４４  組付座
４６  ねじボス
５０  装着部
６５  第１電極（肌電極）
６６  第２電極
６９  シンク締結ねじ（ビス）
Ｂ    刺激付与具
７５  連結部
７６  擦り体ホルダー（ボールホルダー）
７７  擦り体（ボール）
８０  軸通口
９０  フロートばね
Ｃ    綿マット
【要約】      （修正有）【課題】肌面に電流を供給することができる美容器具を提供する。【解決手段】本体ケース１の上部のヘッドケース９に、肌面に電流を供給する肌電極６５が設けられている。肌電極６５は、軸頂部に肌接触面２５を有するヘッド軸２１を含む。ヘッド軸２１は、各頂部が丸められた三角形の断面形状となっており、かつ、肌接触面２５が突湾曲状となっている。ヘッドケース９は、断面形状を三角形に形成しているヘッド筒壁４２を含んでいる。【選択図】図２【図１】
0005917752.tif 000002
【図２】
0005917752.tif 000003
【図３】
0005917752.tif 000004
【図４】
0005917752.tif 000005
【図５】
0005917752.tif 000006
【図６】
0005917752.tif 000007
【図７】
0005917752.tif 000008
【図８】
0005917752.tif 000009
【図９】
0005917752.tif 000010
【図１０】
0005917752.tif 000011
【図１１】
0005917752.tif 000012
【図１２】
0005917752.tif 000013
【図１３】
0005917752.tif 000014
【図１４】
0005917752.tif 000015
【図１５】
0005917752.tif 000016
【図１６】
0005917752.tif 000017
【図１７】
0005917752.tif 000018
【図１８】
0005917752.tif 000019
【図１９】
0005917752.tif 000020
【図２０】
0005917752.tif 000021
【図２１】
0005917752.tif 000022
【図２２】
0005917752.tif 000023
【図２３】
0005917752.tif 000024
【図２４】
0005917752.tif 000025
【図２５】
0005917752.tif 000026
【図２６】
0005917752.tif 000027
【図２７】
0005917752.tif 000028
【図２８】
0005917752.tif 000029
【図２９】
0005917752.tif 000030
【図３０】
0005917752.tif 000031